(57)【要約】【課題】本発明はプラズマディスプレイ装置及びその駆動方法を提供する。【解決手段】本発明に係るプラズマディスプレイ装置はプラズマディスプレイパネルと、プラズマディスプレイパネルの前面に配置されるフィルタを含み、プラズマディスプレイパネルは上部誘電体層が配置される前面基板と、前面基板と上部誘電体層の間に配置される第１電極と第２電極及び第１電極と第２電極に交差する第３電極が配置される背面基板を含み、上部誘電体層と前面基板の間にはブラック層（Ｂｌａｃｋ  Ｌａｙｅｒ）が省略されて、フィルタは第１黒色度を持つ第１部分（Ｆｉｒｓｔ  Ｐｏｒｔｉｏｎ）と、第１部分に形成されて第１黒色度より大きい第２黒色度を持つ第２部分（Ｓｅｃｏｎｄ  Ｐｏｒｔｉｏｎ）を含むことができる。【選択図】図２０
2009533718.tif 000002
【特許請求の範囲】
【請求項１】
プラズマディスプレイパネルと、
前記プラズマディスプレイパネルの前面に配置されるフィルタを含み、
前記プラズマディスプレイパネルは、
上部誘電体層が配置される前面基板と、
前記前面基板と前記上部誘電体層の間に配置される第１電極と第２電極と、
前記第１電極及び第２電極に交差する第３電極が配置される背面基板と、
を含み、
前記上部誘電体層と前面基板の間にはブラック層が省略されて、
前記フィルタは、
第１黒色度を持つ第１部分と、
前記第１部分に形成されて前記第１黒色度より大きい第２黒色度を持つ第２部分と、
を含むプラズマディスプレイ装置。
【請求項２】
前記第１電極または第２電極の内で少なくとも一つはバス電極である、請求項１記載のプラズマディスプレイ装置。
【請求項３】
前記第１電極または第２電極の内で少なくとも一つは、
前記第３電極と交差する少なくとも一つのライン部と、
前記ライン部から前記第３電極と並んでいる方向に突き出される少なくとも一つの突出部と、
を含む請求項２記載のプラズマディスプレイ装置。
【請求項４】
前記突出部は第１方向に突き出された少なくとも一つの第１突出部と前記第１方向と逆方向である第２方向に突き出された少なくとも一つの第２突出部を含む請求項３記載のプラズマディスプレイ装置。
【請求項５】
前記第１突出部の長さは前記第２突出部の長さと異なるとか、前記第１突出部の幅は前記第２突出部の幅と異なる請求項４記載のプラズマディスプレイ装置。
【請求項６】
前記ライン部は複数個であり、
複数の前記ライン部の内で二つ以上を連結する連結部をさらに含む請求項３記載のプラズマディスプレイ装置。
【請求項７】
前記突出部は曲率を持つ部分を含む請求項３記載のプラズマディスプレイ装置。
【請求項８】
前記第２部分の進行方向と前記第１部分の長辺の成す角度は５°以上８０°以下である請求項１記載のプラズマディスプレイ装置。
【請求項９】
前記第２部分の屈折率は前記第１部分の屈折率より小さな請求項１記載のプラズマディスプレイ装置。
【請求項１０】
前記第２部分の屈折率は前記第１部分の屈折率の０．８倍以上０．９９９倍以下である請求項９記載のプラズマディスプレイ装置。
【請求項１１】
プラズマディスプレイパネルと、
前記プラズマディスプレイパネルの前面に配置されるフィルタを含み、
前記プラズマディスプレイパネルは、
上部誘電体層が配置される前面基板と、
前記前面基板と前記上部誘電体層の間に配置される第１電極と第２電極と、
前記第１電極及び第２電極に交差する第３電極が配置される背面基板を含と、
前記第１電極と第２電極の一面は前記前面基板と接触して、
前記第１電極と第２電極の他面は前記上部誘電体層と接触して、
前記フィルタは、
第１黒色度を持つ第１部分と、
前記第１部分に形成されて前記第１黒色度より大きい第２黒色度を持つ第２部分と、
を含むプラズマディスプレイ装置。
【請求項１２】
前記第２部分の屈折率は前記第１部分の屈折率より小さな請求項１１記載のプラズマディスプレイ装置。
【請求項１３】
前記第２部分の屈折率は前記第１部分の屈折率の０．８倍以上０．９９９倍以下である請求項１１記載のプラズマディスプレイ装置。
【請求項１４】
プラズマディスプレイパネルと、
前記プラズマディスプレイパネルの前面に配置されるフィルタを含み、
前記プラズマディスプレイパネルは、
上部誘電体層が配置される前面基板と、
前記前面基板と前記上部誘電体層の間に配置される第１電極と第２電極と、
前記第１電極及び第２電極に交差する第３電極が配置される背面基板を含み、
前記上部誘電体層と前面基板の間にはブラック層が省略されて、
前記フィルタは、
第１黒色度を持つ第１部分と、
前記第１部分に形成されて前記第１黒色度より大きい第２黒色度を持つ第２部分を含み、
フレームの少なくとも一つのサブフィールドのリセット期間以前のフリーリセット期間には、前記第１電極に第１信号が供給されて、前記第２電極に前記第１信号と逆極性である第２信号が供給されるプラズマディスプレイ装置。
【請求項１５】
前記第１信号は時間によって電圧が漸進的に減少する請求項１４記載のプラズマディスプレイ装置。
【請求項１６】
前記第２部分の屈折率は前記第１部分の屈折率の０．８倍以上０．９９９倍以下である請求項１４記載のプラズマディスプレイ装置。
【請求項１７】
前記第２信号の電圧の大きさは前記リセット期間以後のサステイン期間で前記第１電極または第２電極の内で少なくとも一つに供給されるサステイン信号の電圧の大きさと実質的に同一な請求項１４記載のプラズマディスプレイ装置。
【請求項１８】
前記第１電極には前記第１信号の供給以後に、電圧が漸進的に上昇する第３信号が供給される請求項１４記載のプラズマディスプレイ装置。
【請求項１９】
前記第３信号は電圧が第１傾きに漸進的に上昇する第１上昇ランプ信号と、電圧が第２傾きに漸進的に上昇する第２上昇ランプ信号を含む請求項１８記載のプラズマディスプレイ装置。
【請求項２０】
前記第２傾きは前記第１傾きより緩い請求項１９記載のプラズマディスプレイ装置。
【発明の詳細な説明】
【技術分野】
【０００１】
本発明はプラズマディスプレイ装置に関する。
【背景技術】
【０００２】
プラズマディスプレイ装置は映像を表示するプラズマディスプレイパネルと、プラズマディスプレイパネルの前面に配置されるフィルタを含むことができる。
【０００３】
プラズマディスプレイパネルには隔壁に区画された放電セル（Ｃｅｌｌ）内に蛍光体層が形成されて、同時に複数の電極（Ｅｌｅｃｔｒｏｄｅ）が形成される。このような、電極を通じて放電セルに駆動信号が供給される。
【０００４】
それでは、放電セル内では供給される駆動信号によって放電が発生する。ここで、放電セル内で駆動信号によって放電される時、放電セル内に充填されている放電ガスが紫外線（Ｕｌｔｒａｖｉｏｌｅｔ  ｒａｙｓ）などの光を発生して、このような紫外線などの光が放電セル内に形成された蛍光体を発光させて可視光を発生させる。このような可視光によってプラズマディスプレイパネルの画面上に映像が表示される。
【発明の開示】
【発明が解決しようとする課題】
【０００５】
本発明の目的は、プラズマディスプレイパネルで上部誘電体層と前面基板の間でブラック層（Ｂｌａｃｋ  Ｌａｙｅｒ）が省略されるようにしてパネルの前面に外部光を遮断する第１部分と第２部分を含むフィルタが配置されてもパネル内部から発生した光がパネル外部に効果的に放出されるようにするプラズマディスプレイ装置及びその駆動方法を提供することにある。
【課題を解決するための手段】
【０００６】
前記した目的を果たすために、本発明の一つの実施形態に係るプラズマディスプレイ装置はプラズマディスプレイパネル（Ｐｌａｓｍａ  Ｄｉｓｐｌａｙ  Ｐａｎｅｌ）とプラズマディスプレイパネルの前面に配置されるフィルタ（Ｆｉｌｔｅｒ）を含み、ここでプラズマディスプレイパネルは上部誘電体層が配置される前面基板と、前面基板と上部誘電体層の間に配置される第１電極と第２電極及び第１電極と第２電極に交差する第３電極が配置される背面基板を含み、上部誘電体層と前面基板の間にはブラック層（Ｂｌａｃｋ  Ｌａｙｅｒ）が省略されて、フィルタは第１黒色度を持つ第１部分（Ｆｉｒｓｔ  Ｐｏｒｔｉｏｎ）と、第１部分に形成されて第１黒色度より大きい第２黒色度を持つ第２部分（Ｓｅｃｏｎｄ  Ｐｏｒｔｉｏｎ）を含む。
【発明の効果】
【０００７】
本発明はパネル内部から発生した光がパネル外部で効果的に放出されるようにすることで、輝度特性及びコントラスト（Ｃｏｎｔｒａｓｔ）特性を向上させることができる効果がある。
【発明を実施するための最良の形態】
【０００８】
以下では本発明に係る具体的な実施形態を添付された図面を参照して説明する。
【０００９】
図１は本発明の第１実施形態に係るプラズマディスプレイ装置の構成を説明するための図である。
【００１０】
図１を注意深く見れば映像を表示するプラズマディスプレイパネル１００とこのようなプラズマディスプレイパネル１００の前面に配置されるフィルタ（Ｆｉｌｔｅｒ、１１０）を含む。
【００１１】
プラズマディスプレイパネル１００はお互いに並んでいる第１電極（２０２、Ｙ）と第２電極（２０３、Ｚ）が配置される前面基板２０１と、前面基板２０１に対抗されるように配置されて第１電極２０２及び第２電極２０３と交差する第３電極２１３が配置される背面基板２１１が合着されてから成ることができる。
【００１２】
第１電極２０２と第２電極２０３が配置された前面基板２０１の上部には第１電極２０２と第２電極２０３を覆う上部誘電体層２０４が配置されることができる。
【００１３】
上部誘電体層２０４は第１電極２０２及び第２電極２０３の放電電流を制限して第１電極２０２と第２電極２０３の間を絶縁させることができる。
【００１４】
上部誘電体層２０４上部には放電条件を容易にするための保護層２０５が配置されることができる。このような保護層２０５は二次電子放出係数が高い材質、例えば酸化マグネシウム（ＭｇＯ）材質を含むことができる。
【００１５】
また、背面基板２１１には電極、例えば第３電極２１３が配置されて、第３電極２１３が配置された背面基板２１１には第３電極２１３を覆って第３電極２１３を絶縁させることができる誘電体層、例えば下部誘電体層２１５が配置されることができる。
【００１６】
前面基板２０１と背面基板２１１の間には放電空間すなわち、放電セルを区画するストライプタイプ（Ｓｔｒｉｐｅ  Ｔｙｐｅ）、ウェルタイプ（Ｗｅｌｌ  Ｔｙｐｅ）、デルタタイプ（Ｄｅｌｔａ  Ｔｙｐｅ）、蜂の巣タイプなどの隔壁２１２が配置されることができる。  このような隔壁２１２によって前面基板２０１と背面基板２１１の間で赤色（Ｒｅｄ  ：Ｒ）、緑色（Ｇｒｅｅｎ  ：Ｇ）、青色（Ｂｌｕｅ  ：Ｂ）放電セルなどが備えることができる。
【００１７】
例えば、閉鎖型（Ｃｌｏｓｅｄ  Ｔｙｐｅ）隔壁構造では隔壁２１２のお互いに交差する第１隔壁（図示せず）と第２  隔壁（図示せず）を含むことができる。共に、第１隔壁の高さと第２隔壁の高さがお互いに異なることができる。
【００１８】
隔壁２１２によって区画された放電セル内には所定の放電ガスが満たされる。共に、隔壁２１２によって区画された放電セル内にはアドレス放電時画像表示のための可視光を放出する蛍光体層２１４が配置されることができる。例えば、赤色（Ｒｅｄ  ：Ｒ）、緑色（Ｇｒｅｅｎ  ：Ｇ）、青色（Ｂｌｕｅ  ：Ｂ）蛍光体層が配置されることができる。
【００１９】
また、赤色（Ｒ）、緑色（Ｇ）、青色（ｂ）放電セル以外に白色（Ｗｈｉｔｅ  ：Ｗ）または黄色（Ｙｅｌｌｏｗ  ：Ｙ）放電セルがさらに形成されることも可能である。
【００２０】
また、赤色（Ｒ）、緑色（Ｇ）及び青色（ｂ）  放電セルの幅は実質的に同一なかも知れないが、  赤色（Ｒ）、  緑色（Ｇ）  及び青色（ｂ）放電セルの内で少なくとも一つの幅が他の放電セルの幅と異なるようにすることもできる。
【００２１】
例えば、赤色（Ｒ）放電セルの幅が一番小さく、緑色（Ｇ）及び青色（ｂ）放電セルの幅を赤色（Ｒ）放電セルの幅より大きくできる。それでは放電セル内に形成される蛍光体層２１４の幅も放電セルの幅によって変更される。例えば、青色（ｂ）放電セルに形成される青色（ｂ）蛍光体層の幅が赤色（Ｒ）放電セル内に形成される赤色（Ｒ）蛍光体層の幅より広く、共に緑色（Ｇ）放電セルに形成される緑色（Ｇ）蛍光体層の幅が赤色（Ｒ）放電セル内に形成される赤色（Ｒ）蛍光体層の幅より広いことがある。これによって、青色光の発生量が赤色光の発生量に備え増加することができて具現される映像の色温度特性が向上することができる。
【００２２】
また、本発明の第１実施形態に係るプラズマディスプレイ装置に適用されることができるプラズマディスプレイパネルは多様な形状の隔壁の構造の適用が可能である。例えば、隔壁２１２はお互いに交差する第１隔壁（図示せず）と第２隔壁（図示せず）を含み、ここで、第１隔壁の高さと第２隔壁の高さがお互いに異なる差等型隔壁構造、第１隔壁または第２隔壁内の一つ以上に排気通路で使用可能なチャンネル（Ｃｈａｎｎｅｌ）が形成されたチャンネル型隔壁構造、第１隔壁または第２隔壁内の一つ以上に溝（Ｈｏｌｌｏｗ）が形成された溝型隔壁構造などが可能である。
【００２３】
また、ここ図１では赤色（Ｒ）、緑色（Ｇ）及び青色（ｂ）放電セルそれぞれが同一な線上に配列されることで図示及び説明されているが、他の形状に配列されることも可能である。例えば、赤色（Ｒ）、緑色（Ｇ）及び青色（ｂ）放電セルが三角形形状に配列されるデルタ（Ｄｅｌｔａ）タイプの配列も可能である。また、放電セルの形状も四角形状だけではなく五角形、六角形などの多様な多角形状も可能である。
【００２４】
共に、隔壁２１２によって区画された放電セル内にはアドレス放電時画像表示のための可視光を放出する蛍光体層２１４が形成されることができる。例えば、赤色（Ｒｅｄ  ：Ｒ）、緑色（Ｇｒｅｅｎ  ：Ｇ）、青色（Ｂｌｕｅ  ：Ｂ）蛍光体層が形成されることができる。
【００２５】
また、赤色（Ｒ）、緑色（Ｇ）、青色（ｂ）蛍光体以外に白色（Ｗｈｉｔｅ  ：Ｗ）及び／または黄色（Ｙｅｌｌｏｗ  ：Ｙ）蛍光体層がさらに形成されることも可能である。
【００２６】
また、赤色（Ｒ）、緑色（Ｇ）及び青色（ｂ）放電セルの内で少なくとも何れか一つの放電セルでの蛍光体層２１４の厚さが異なる放電セルと相異することもある。例えば、緑色（Ｇ）放電セルの蛍光体層、すなわち緑色（Ｇ）蛍光体層または青色（ｂ）放電セルでの蛍光体層、すなわち青色（ｂ）蛍光体層の厚さが赤色（Ｒ）放電セルでの蛍光体層、すなわち赤色（Ｒ）蛍光体層の厚さよりさらに厚いことがある。
【００２７】
また、背面基板２１１上に形成される第３電極２１３は幅や厚さが実質的に一定することもできるが、放電セル内部での幅や厚さが放電セル外部での幅や厚さと異なることもできることである。例えば、放電セル内部での幅や厚さが放電セル外部でのそれよりさらに広いとか厚いことがある。
【００２８】
フィルタ１１０は外部から入射される光を遮断する遮光層２２０を含むことができる。また、フィルタ１１０はカラー層（Ｃｏｌｏｒ  Ｌａｙｅｒ、２３０）と電磁波遮蔽層２４０をさらに含むことも可能である。
【００２９】
遮光層２２０とカラー層２３０の間には第１接着層２５１が形成されて遮光層２２０とカラー層２３０を接着させることが望ましく、また、カラー層２３０と電磁波遮蔽層２４０の間には第２接着層２５２が形成されて、カラー層２３０と電磁波遮蔽層２４０を接着させることが望ましいことがある。
【００３０】
また、説明されない番号２６０はこのような基板２６０は高分子樹脂材質またはガラス材質からなる基板（Ｓｕｂｓｔｒａｔｅ）であることがある。このような基板２６０は遮光層２２０、カラー層２３０、電磁波遮蔽層２４０が形成されることができる空間を用意することができる。
【００３１】
また、説明されない番号２５０は第３接着層として、フィルタ１１０をプラズマディスプレイパネル１００に接着させるために配置されることができる。このような第３接着層２５０は基板２６０がガラス材質の場合に省略されることが可能である。
【００３２】
また、示さなかったがフィルタは近赤外線（Ｎｅａｒ  Ｉｎｆｒａｒｅｄ  Ｒａｙ）遮蔽層をさらに含むことも可能である。
【００３３】
以上で説明したフィルタ１１０から遮光層２２０、カラー層２３０、電磁波遮蔽層２４０、基板２６０の位置は変更されることができる。例えば、基板２６０の上部に電磁波遮蔽層２４０が配置されて、電磁波遮蔽層２４０の上部にカラー層２３０が配置されて、  カラー層２３０の上部に遮光層２２０が配置されることも可能なことである。
【００３４】
図２はフィルタの遮光層に対してさらに詳しく説明するための図である。
【００３５】
図２を注意深く見れば、フィルタの遮光層２２０は第１部分（Ｆｉｒｓｔ  Ｐｏｒｔｉｏｎ、１３０）、第２部分（Ｓｅｃｏｎｄ  Ｐｏｒｔｉｏｎ、１２０）を含む。
【００３６】
第１部分１３０は実質的に透明な材質からなることができる。例えば、第１部分１３０は実質的に透明な水質材質からなることができる。このような第１部分１３０の黒色度（Ｄｅｇｒｅｅ  Ｏｆ  Ｂｌａｃｋｎｅｓｓ）を第１黒色度だとする。
【００３７】
第２部分１２０は第１部分１３０に形成されて第１部分１３０の第１黒色度よりさらに大きい第２黒色度を持つ。すなわち、第２部分１２０は第１部分１３０よりさらに暗い色を持つ。例えば、第２部分１２０は炭素（Ｃａｒｂｏｎ）材質を含んで実質的に黒い色を持つことができる。
【００３８】
共に、第２部分１２０は第１部分１３０の方向に進行するほど幅が漸進的に減少する部分を含むことができる。これによって、第２部分１２０の底面と並んでいる第１部分１３０の一面と第２部分１２０は所定の角度（θ１）を成すことができる。このような角度（θ１）はおおよそ７０°以上９０°未満であることがある。
【００３９】
このような、遮光層２２０の機能に対して添付された図３を参照して注意深く見れば次のようである。
【００４０】
図３は遮光層の機能に対して説明するための図である。
【００４１】
図３を注意深く見れば、フィルタの内側、すなわち示さなかったがプラズマディスプレイパネル内部に位置するａ地点で発生した光は直接外側に放出されて、共にｂ、ｃ地点で発生した光は第２部分１２０によって全反射されて外側に放出されることができる。一方に、フィルタの外側、すなわちプラズマディスプレイパネルの外部に位置するｄ、ｅ地点から入射される光は第２部分１２０に吸収されることができる。
【００４２】
ここで、第２部分１２０の屈折率が第１部分１３０の屈折率よりさらに小さく、共に第２部分１２０の底面と並んでいる第１部分１３０の一面と第２部分１２０が所定の角度（θ１）を成すようにすれば、フィルタの内側で発生する光はより効果的に外部に放出されて、同時に外部からフィルタに入射される光はより効果的に吸収されることができる。
【００４３】
このように、フィルタの内側で発生した光は外側に効果的に放出されて、一方にフィルタの外側から入射される光は吸収されることで、プラズマディスプレイパネルの画面に表示される映像のコントラスト（Ｃｏｎｔｒａｓｔ）特性が向上することができる。
【００４４】
ここで、フィルタの外側から入射される光をより効果的に吸収して、共にフィルタの内側で発生した光をより効果的に放出させるために第２部分１２０の屈折率は第１部分１３０の屈折率の０．８倍以上０．９９９倍以下に設定されることができる。
【００４５】
また、第１部分１３０の高さ（ｔ３）は第２部分１２０の高さ（ｔ２）の１．０１倍以上２．２５倍以下に設定されることができる。このように設定すれば製造工程上の歩留まり向上及びフィルタの堅固性を充分に確保することができるし、共にフィルタの外側で入射される光を充分に遮断させて、共にフィルタの内側で発出される光の透過性を充分に確保することができる。
【００４６】
また、第２部分１２０の下部の間の間隔（ｔ４）は第２部分１２０の底面の幅（ｔ１）の１．１倍以上５倍以下に設定されることができる。このように設定するようになれば、フィルタの開口率を充分に確保することができるし、共にフィルタの外側から入射される光を充分に遮断させることができるし、共に第２部分１２０の製造工程が容易にすることができる。
【００４７】
また、第２部分１２０の上部の間の間隔（ｔ５）は第２部分１２０の下部の間の間隔（ｔ４）の１．１倍以上３．２５倍以下に設定されることができる。このように設定するようになれば、フィルタの開口率を充分に確保することができるし、共に第２部分１２０の角度（θ１）を理想的に設定することができるようになってフィルタの外側から入射される光を充分に遮断させることができる。
【００４８】
また、第２部分１２０の高さ（ｔ２）は第２部分１２０の下部の間の間隔（ｔ４）の０．８９倍以上４．２５倍以下に設定されることができる。このように設定するようになれば、フィルタの開口率を充分に確保することができるし、共にフィルタの外側から入射される光を充分に遮断することができる。
【００４９】
例えば、第２部分１２０の底面の幅（ｔ１）は１８μｍ（マイクロメートル）以上３５μｍ（マイクロメートル）以下に設定されることができる。
【００５０】
または、第２部分１２０の高さ（ｔ２）は８０μｍ（マイクロメートル）以上１７０μｍ（マイクロメートル）以下に設定されることができる。
【００５１】
または、第１部分１３０の高さ（ｔ３）は１００μｍ（マイクロメートル）以上１８０μｍ（マイクロメートル）以下に設定されることができる。
【００５２】
または、第２部分１２０の下部間の間隔（ｔ４）は４０μｍ（マイクロメートル）以上９０μｍ（マイクロメートル）以下に設定されることができる。
【００５３】
または、第２部分１２０の上部間の間隔（ｔ５）は９０μｍ（マイクロメートル）以上１３０μｍ（マイクロメートル）以下に設定されることができる。
【００５４】
図４乃至図８は遮光層のまた他の形態に対して説明するための図である。
【００５５】
先ず、図４を注意深く見れば第２部分１２０は第１幅を持つ部分（ａ）と第２幅を持つ部分（ｂ）を含むことができる。例えば、第２部分１２０は第１部分１３０の内部方向に進行するほどその幅の減少する程度が異なる二つの部分を含むことができる。例えば、ａ地点までは第１割合でその幅が減少して、一方にｂ地点からは第１割合よりさらに大きい第２割合でその幅が減少することができる。
【００５６】
次に、図５を注意深く見れば前の図４とは異なりに第２部分１２０はａ地点までは第１割合でその幅が減少して、一方にｂ地点からは第１割合よりさらに小さな第２の割合でその幅が減少することができる。
【００５７】
次に、図６を注意深く見れば第２部分１２０はその端が実質的に平坦（Ｆｌａｔ）な形態を持つことができる。
【００５８】
次に、図７を注意深く見れば第２部分１２０はその側面が緩い曲線を成すことができる。
【００５９】
次に、図８を注意深く見れば第２部分１２０の側面はａ地点までは実質的に直線形態であり、ｂ地点からは曲線形態であることができる。例えば、第２部分１２０は端が曲面を含む。
【００６０】
図９乃至図１０は第２部分の進行方向に対して説明するための図である。
【００６１】
先ず、図９を注意深く見れば第２部分５００の進行方向と第１部分５１０の長辺は実質的に並んでいることがある。
【００６２】
次に、図１０を注意深く見れば第２部分５２０の進行方向は第１部分５１０の長辺と交差して所定角度（θ２）を成すことができる。
【００６３】
このように、第２部分５２０の進行方向と第１部分５１０の長辺が所定角度（θ２）を成すようになれば二つ以上の周期的なパターン（Ｐｅｒｉｏｄｉｃ  Ｐａｔｔｅｒｎ）が重なる時作られる干渉縞（Ｉｎｔｅｒｆｅｒｅｎｃｅ  Ｆｒｉｎｇｅ）、すなわちモアレ柄（Ｍｏｉｒｅ  Ｆｒｉｎｇｅ）を遮断することができる。
【００６４】
共に、このようなモアレ柄をさらに効果的に遮断するために第２部分５２０の進行方向と第１部分５１０の長辺が成す所定角度（θ２）はおおよそ５°以上８０°以下で設定することができる。
【００６５】
図１１乃至図１３は遮光層のまた他のタイプ（Ｔｙｐｅ）に対して説明するための図である。
【００６６】
先ず、図１１を注意深く見れば遮光層２２０の第２部分６００はマトリックスタイプ（Ｍａｔｒｉｘ  Ｔｙｐｅ）に形成されることができる。
【００６７】
次に、図１２を注意深く見れば第２部分６２０は波タイプに形成されることができる。
【００６８】
次に、図１３を注意深く見れば第２部分６３０は突起タイプに形成されることができる。例えば、半球形態に突起されたタイプの複数の第２部分６３０が所定の間隔を置いて配列されることができる。
【００６９】
図１４はお互いに異なるパターンを持つ二つ以上の遮光層を共に使う場合の一例を説明するための図である。
【００７０】
図１４を注意深く見れば、第２部分（７０１、７１１）の進行方向がお互いに異なる二つの遮光層（７００、７１０）が一つのフィルタに含まれることができる。
【００７１】
このように、お互いに異なるパターンを持つ二つ以上の遮光層を共に使うようになれば、フィルタの視野角を多様に調節することができる。
【００７２】
図１５は遮光層のまた他の構造に対して説明するための図である。
【００７３】
図１５を注意深く見れば、遮光層２００の第２部分８１０は複数の層（Ｌａｙｅｒ）を持つ。例えば、第２部分８１０は外層８１１と内層８１２を含むことができる。ここで、外層８１１は内層８１２を覆うように形成されることができる。
【００７４】
共に、外層８１１は屈折率が第１部分８２０の屈折率よりは小さいことがあって、内層８１２の屈折率は外層８１１の屈折率と異なるとかまたは同一なことがある。例えば、内層８１２の屈折率は外層８１１の屈折率よりさらに小さいことがある。
【００７５】
次に、図１６乃至図１７はフィルムタイプフィルタとガラスタイプフィルタに対して説明するための図である。
【００７６】
先ず、図１６を注意深く見ればプラズマディスプレイパネル１００の前面に接着層９００が形成されて、このような接着層９００にフィルタ１１０が附着することができる。例えば、フィルタ１１０はプラズマディスプレイパネル１００の前面にラミネイティング（Ｌａｍｉｎａｔｉｎｇ）などの方法を通じて附着することができる。このような場合のフィルタ１１０はフィルムフィルタタイプである。
【００７７】
ここで、番号９１０は基板として樹脂材質からなることができる。
【００７８】
次に、図１７を注意深く見ればフィルタ１１０はプラズマディスプレイパネル１００と所定距離ｄ程度離隔されて配置されることができる。例えば、フィルタ１１０はサポーター（Ｓｕｐｐｏｒｔｅｒ、９３０）によって支持されてプラズマディスプレイパネル１００の前面とｄの距離を置いて離隔されるように配置されることができる。このような場合のフィルタ１１０はガラスフィルタタイプであり、番号９０の基板がガラス材質からなることができる。
【００７９】
図１８乃至図２０は隔壁と対応される領域でのブラック層省略に対して説明するための図である。
【００８０】
先ず、図１８を注意深く見れば前面基板１００１と上部誘電体層１００４の間にブラック層１０２０がさらに配置された場合の一例が示されている。例えば、前面基板１００１と上部誘電体層１００４の間で隔壁１０１２と対応される位置にブラック層１０２０が配置されることができる。ここで、番号１０２０のブラック層を第１ブラック層とする。
【００８１】
このような構造では第１ブラック層１０２０が外部から入射される光を吸収することで、隔壁１０１２による反射光の発生を低減させることができる。これによって、コントラスト特性を向上することができる。
【００８２】
一方、図１９のように前面基板１００１と上部誘電体層１００４の間に第１ブラック層１０２０が配置される場合に、プラズマディスプレイパネル１０００の前面に配置されるフィルタが第１部分１０３１と第２部分１０３２を含む遮光層１０３０を含む場合を仮定する。
【００８３】
このような場合には、第１ブラック層１０２０が外部から入射される光を吸収することは可能だが、プラズマディスプレイパネル１０００の内部から発生した光が外部に放出される時遮光層１０３０及び第１ブラック層１０２０によって遮られることで映像の輝度は過度に低下されることで、コントラスト特性がむしろ悪くなることがある。
【００８４】
一方に、図２０のように前面基板１００１と上部誘電体層１００４の間に第１ブラック層が省略される場合を仮定すると、このような場合には、第１ブラック層が省略されることで、上部誘電体層１００４は隔壁１０１２と対応される部分で前面基板１００１と接触するようになる。
【００８５】
第１ブラック層が省略されれば、プラズマディスプレイパネル１０００内部から発生した光が第１ブラック層によって遮られないで外部に放出されることができて、輝度が過度に低下されることを防止することができる。共に、プラズマディスプレイパネル１０００の前面には遮光層１０３０を含むフィルタが配置されることで、外部から入射される光を遮光層が充分に吸収することができるから第１ブラック層が省略されても隔壁１０１２による反射光の発生が過度に増加することを防止することができる。
【００８６】
したがって、コントラスト特性を充分に高く維持しながら映像の輝度が過度に低下されることを防止するため、プラズマディスプレイパネル１０００の前面に配置されたフィルタが第１部分１０３１と第２部分１０３２を含む遮光層１０３０を含む場合には上部誘電体層１００４と前面基板１００１の間で第１ブラック層が省略されることが望ましいことがある。すなわち、上部誘電体層１００４は隔壁１０１２と対応される部分で前面基板１００１と接触するのが望ましい。
【００８７】
図２１乃至図２２は第１電極及び第２電極と対応される領域でのブラック層の省略に対して説明するための図である。
【００８８】
先ず、図２１には前面基板１１０１と上部誘電体層１１０４の間に第１電極１１０２及び第２電極１１０３より暗い色を持つブラック層（１１００ａ、１１００ｂ）がさらに形成された場合、例えばブラック層（１１００ａ、１１００ｂ）が第１電極１１０２及び第２電極１１０３と前面基板１１０１の間に形成される場合の一例が示されている。ここで、番号１１００ａ、１１００ｂを第２ブラック層とする。
【００８９】
このような場合には第２ブラック層（１１００ａ、１１００ｂ）が外部から入射される光が第１電極１００２  及び第２電極１００３によって反射することを抑制することでコントラスト特性を改善するのに寄与することができる。
【００９０】
一方、プラズマディスプレイパネル１１１０の前面に配置されるフィルタが第２部分１１２２と第１部分１１２１を含む遮光層１１２０を含む場合には、第２ブラック層（１１００ａ、１１００ｂ）が外部から入射される光を吸収することは可能だが、プラズマディスプレイパネル１１１０の内部から発生した光が外部に放出される時遮光層１１２０及び第２ブラック層（１１００ａ、１１００ｂ）によって遮られることで映像の輝度は過度に低下されることで、コントラスト特性がむしろ悪くなりうる。
【００９１】
一方に、図２２のように前面基板１１０１と上部誘電体層１１０４の間の第１電極１１０２と第２電極１１０３に対応される領域で第２ブラック層が省略される場合を仮定すると、このような場合は、第１電極１１０２と第２電極１１０３の一つの面は前面基板１１０１と接触して、第１電極１１０２と第２電極１１０３の他面は上部誘電体層１１０４と接触するようになる。
【００９２】
第２ブラック層が省略されれば、プラズマディスプレイパネル１１１０内部から発生した光が第２ブラック層によって遮られないで外部に放出されることができて、輝度が過度に低下されることを防止することができる。共に、プラズマディスプレイパネル１１１０の前面には遮光層１１２０を含むフィルタが配置されることで、外部から入射される光を遮光層１１２０が充分に吸収することができるから第２ブラック層が省略されても第１電極１１０２及び第２電極１１０３による反射光の発生が過度に増加することを防止することができる。
【００９３】
したがって、コントラスト特性を充分に高く維持しながら映像の輝度が過度に低下されることを防止するため、プラズマディスプレイパネル１１１０の前面に配置されたフィルタが第１部分１１２１と第２部分１１２２を含む遮光層１１２０を含む場合には上部誘電体層１１０４と前面基板１１０１の間の第１電極１１０２と第２電極１１０３に対応される領域で第２ブラック層が省略されることが望ましい。すなわち、第１電極１１０２と第２電極１１０３の一面は前面基板１１０１と接触して、第１電極１１０２と第２電極１１０３の他面ば上部誘電体層１１０４と接触するのが望ましい。
【００９４】
また、以上のように上部誘電体層と前面基板の間でブラック層が省略される場合にはブラック層の製造工程に必要となる工程時間及び製造費用を減らすことができてプラズマディスプレイ装置の製造単価を低減させることができる。
【００９５】
図２３乃至図２４は第１電極及び第２電極の構造に対して説明するための図である。
【００９６】
先ず、図２３を注意深く見れば、（ａ）には前面基板１２００上に形成された第１電極１２１０と第２電極１２２０が複数の層（Ｌａｙｅｒ）構造の場合の一例が示されている。
【００９７】
例えば、第１電極１２１０と第２電極１２２０は透明電極（１２１０ａ、１２２０ａ）とバス電極（１２１０ｂ、１２２０ｂ）を含むことができる。
【００９８】
透明電極（１２１０ａ、１２２０ａ）はインジウム柱石酸化物（ＩＴＯ）などの透明な材質を含むことができるし、バス電極（１２１０ｂ、１２２０ｂ）は銀（Ａｇ）などの金属材質を含むことができる。
【００９９】
このような、（ａ）の場合では第１電極１２１０と第２電極１２２０の形成工程時透明電極（１２１０ａ、１２２０ａ）を形成した以後にバス電極（１２１０ｂ、１２２０ｂ）を再び形成しなければならない。
【０１００】
（ｂ）には第１電極１２３０と第２電極１２４０が単一層（Ｏｎｅ  Ｌａｙｅｒ）  構造を持つ場合の一例が示されている。例えば、第１電極１２３０及び第２電極１２４０の内少なくとも一つは透明電極が省略された電極（ＩＴＯ−Ｌｅｓｓ）、すなわちバス電極であることがある。
【０１０１】
このような、第１電極１２３０または第２電極１２４０の内少なくとも一つは実質的に不透明な電気伝導性の金属材質を含むことができる。例えば、銀（Ａｇ）、銅（Ｃｕ）、アルミニウム（Ａｌ）などのような電気伝導性が優秀で、共に透明材質、例えばインジウム柱石酸化物（ＩＴＯ）に比べて価格がチープな材質を含むことができる。また、第１電極１２３０または第２電極１２４０の内少なくとも一つは炭素（Ｃ）、コバルト（Ｃｏ）またはルテニウム（Ｒｕ）などのブラック材質（Ｂｌａｃｋ  Ｍａｔｅｒｉａｌ）をさらに含むことも可能である。
【０１０２】
（ａ）と（ｂ）の場合を比べると、（ａ）の場合は透明電極（１２１０ａ、１２２０ａ）を形成する工程及びバス電極（１２１０ｂ、１２２０ｂ）を形成する工程が必要であるのに比べて、（ｂ）の場合は透明電極を形成する工程を略することができ、（ｂ）のように第１電極１２３０と第２電極１２４０が単一層構造を持つ場合、製造単価がさらに安くなりうる。
【０１０３】
共に、（ｂ）の場合は（ａ）の場合に比べてインジウム柱石酸化物などの相対的に高価である材質を使わないから製造単価がさらに低いことがある。
【０１０４】
次に、図２４を注意深く見れば、（ａ）は第１電極１２１０と第２電極１２２０が複数の層を持つ場合であり、（ｂ）は第１電極１２３０と第２電極１２４０が単一層構造を持つ場合の一例が示されている。
【０１０５】
（ａ）の場合は第１電極１２１０と第２電極１２２０、透明電極（１２１０ａ、１２２０ａ）とバス電極（１２１０ｂ、１２２０ｂ）を含むからバス電極（１２１０ｂ、１２２０ｂ）の面積を相対的に小さくしても第１電極１２１０と第２電極１２２０の電気伝導度が過度に減少しないことがある。したがって、駆動効率が過度に減少することを防止することができるし、これによって開口率を充分に高く維持することができる。
【０１０６】
一方に、（ｂ）の場合は透明電極が省略されたから、単一層構造である第１電極１２３０と第２電極１２４０の電気伝導度を充分に高く維持するためには、第１電極１２３０と第２電極１２４０の面積を充分に広くしなければならない。これにより、パネルの開口率が過度に減少することで具現される映像の輝度が過度に減少することができる。
【０１０７】
したがって、（ｂ）のようにに第１電極１２３０と第２電極１２４０が単一層構造を持つ場合には、映像の過度な輝度低下を防止するために前の図２０または図２２の場合のように、上部誘電体層と前面基板の間でブラック層が省略されることが望ましい。
【０１０８】
図２５乃至図２８は本発明の第１実施形態に係るプラズマディスプレイ装置に含まれることができるプラズマディスプレイパネルの第１電極と第２電極の第１実施形態に対して説明するための図である。
【０１０９】
先ず、図２５を注意深く見れば第１電極１３３０及び第２電極１３６０の内少なくとも一つは一つ以上のライン部（１３１０ａ、１３１０ｂ、１３４０ａ、１３４０ｂ）を含むことができる。
【０１１０】
このようなライン部（１３１０ａ、１３１０ｂ、１３４０ａ、１３４０ｂ）は隔壁１３００によって区画された放電セル内で第３電極１３７０と交差するように形成されることができる。
【０１１１】
このようなライン部（１３１０ａ、１３１０ｂ、１３４０ａ、１３４０ｂ）は放電セル内でそれぞれ所定距離離隔されて配置されることができる。
【０１１２】
例えば、第１電極１３３０の第１ライン部１３１０ａと第  ２ライン部１３１０ｂはｄ１の間隔を置いて離隔されて、第２電極１３６０の第１ライン部１３４０ａと第２ライン部１３４０ｂはｄ２の間隔を置いて離隔されることがある。ここで、間隔ｄ１とｄ２は同一な場合も可能であり、お互いに相異な場合も可能である。
【０１１３】
共に、このようなライン部（１３１０ａ、１３１０ｂ、１３４０ａ、１３４０ｂ）は所定の幅を持つ、例えば、第１電極１３３０の第１ライン部１３１０ａはＷａの幅を持って、第２ライン部１３１０ｂはＷｂの幅を持つことができる。
【０１１４】
ここで、第１電極１３３０と第２電極１３６０の形状は放電セル内でお互いに対称であることができるし、お互いに非対称であることもある。例えば、第１電極１３３０は３個のライン部を含み、一方に第２電極１３６０は２個のライン部を含むことができるのである。
【０１１５】
共に、ライン部の個数も調節されることができる。例えば、第１電極１３３０または第２電極１３６０が４個または５個のライン部を含むことができるのである。
【０１１６】
共に、  第１電極１３３０及び第２電極１３６０の内少なくとも一つは少なくとも一つの突出部（１３２０ａ、１３２０ｂ、１３５０ａ、１３５０ｂ）を含むことができる。
【０１１７】
このような、突出部（１３２０ａ、１３２０ｂ、１３５０ａ、１３５０ｂ）はライン部（１３１０ａ、１３１０ｂ、１３４０ａ、１３４０ｂ）から突き出されて形成される。また、このような突出部（１３２０ａ、１３２０ｂ、１３５０ａ、１３５０ｂ）は第３電極１３７０と並んでいることがある。
【０１１８】
このような突出部（１３２０ａ、１３２０ｂ、１３５０ａ、１３５０ｂ）は隔壁１３００によって区画された放電セル内で突出部（１３２０ａ、１３２０ｂ、１３５０ａ、１３５０ｂ）が形成された部分での第１電極１３３０と第２電極１３６０の間の間隔（ｇ１）を他の部分での間隔（ｇ２）よりさらに短くする。これによって、第１電極１３３０と第２電極１３６０の間に発生する放電の開始電圧、すなわち放電電圧を低めることができる。
【０１１９】
一方、前の図２５の場合には第１電極１３３０と第２電極１３６０がそれぞれ２個ずつの突出部を含んだが、次図２６のように第１電極１３３０と第２電極１３６０がそれぞれ３個ずつの突出部を含むことも可能であり、共に、示さなかったが第１電極１３３０と第２電極１３６０がそれぞれ３個ずつの突出部を含むことも可能なことである。このように、突出部（１３２０ａ、１３２０ｂ、１３２０ｃ、１３５０ａ、１３５０ｂ、１３５０ｃ）の個数は多様に調節されることができる。
【０１２０】
次に、図２７を注意深く見れば複数のライン部（１３１０ａ、１３１０ｂ、１３４０ａ、１３４０ｂ）の内少なくとも一つの幅は他のライン部の幅と異なることができる。
【０１２１】
例えば、  図２７のように第１電極１３３０の第１ライン部１３１０ａの幅（Ｗａ）が第  ２ライン部１３１０ｂの幅（Ｗｂ）よりさらに小さいことがある。
【０１２２】
または、図２８のように第１電極１３３０の第１ライン部１３１０ａの幅（Ｗａ）が第２ライン部１３１０ｂの幅（Ｗｂ）よりさらに大きくなることができる。
【０１２３】
次に、図２９乃至図３０は本発明の第１実施形態に係るプラズマディスプレイ装置に含まれることができるプラズマディスプレイパネルの第１電極と第２電極の第２実施形態に対して説明するための図である。ここに図２９乃至図３０では以上で詳しく説明した内容に対してはその説明を略する。
【０１２４】
先ず、図２９を注意深く見れば、複数のライン部（１４１０ａ、１４１０ｂ、１４４０ａ、１４４０ｂ）の内二つ以上を連結する連結部（１４２０ｃ、１４５０ｃ）がさらに形成されることができる。
【０１２５】
このように、連結部（１４２０ｃ、１４５０ｃ）が二つのライン部（１４１０ａ、１４１０ｂ、１４４０ａ、１４４０ｂ）を連結するようになれば、隔壁１４００によって区画された放電セル内で放電がさらに容易く拡散することができる。
【０１２６】
一方、前の図２９では第１電極１４３０の第１ライン部１４１０ａと第２ライン部１４１０ｂを連結する連結部１４２０ｃが１個であるが、次図３０のように第１電極１４３０の第１ライン部１４１０ａと第２ライン部１４１０ｂを連結する連結部（１４２０ｃ、１４２０ｄ）が２個であることができる。このように、連結部（１４２０ｃ、１４２０ｄ、１４５０ｃ、１４５０ｄ）の個数は多様に変更されることができる。
【０１２７】
図３１乃至図３２は本発明の第１実施形態に係るプラズマディスプレイ装置に含まれることができるプラズマディスプレイパネルの第１電極と第２電極の第３実施形態に対して説明するための図である。ここに図３１乃至図３２では以上で詳しく説明した内容に対してはその説明を略する。
【０１２８】
先ず、図３１を注意深く見れば、複数の突出部（１５２０ａ、１５２０ｂ、１５２０ｄ、１５５０ａ、１５５０ｂ、１５５０ｄ）の内少なくとも一つはライン部（１５１０ａ、１５１０ｂ、１５４０ａ、１５４０ｂ）から第１方向に突き出されて、共に複数の突出部（１５２０ａ、１５２０ｂ、１５２０ｄ、１５５０ａ、１５５０ｂ、１５５０ｄ）の内少なくとも一つはライン部（１５１０ａ、１５１０ｂ、１５４０ａ、１５４０ｂ）から第１方向とは異なる第２方向に突き出されることができる。
【０１２９】
ここで、第１方向に突き出される突出部を第１突出部（１５２０ａ、１５２０ｂ、１５５０ａ、１５５０ｂ）といい、第１方向と異なる第２方向に突き出される突出部を第２突出部（１５２０ｄ、１５５０ｄ）という。ここで、第１方向と第２方向はお互いに逆方向であることができる。例えば、第１方向は放電セル中心方向であり、第２方向は放電セル中心方向と反対方向であることができる。
【０１３０】
このように、放電セルの中心方向と反対の方向に突き出される番号１５２０ｄの突出部及び１５５０ｄの突出部は放電セル内で放電がさらに広く拡散するようにする。
【０１３１】
一方、図３１の場合には第１電極１５３０に含まれる第２方向、例えば放電セル中心方向と反対方向に突き出される第２突出部１５２０ｄの個数は１個であるのに比べて、次図３２のように第２方向に突き出される第２突出部（１５２０ｄ、１５５０ｅ）の個数は２個である。このように、第２方向に突き出される第２突出部（１５２０ｄ、１５２０ｅ、１５５０ｄ、１５５０ｅ）の個数は多様に変更されることができる。
【０１３２】
図３３乃至図３４は本発明の第１実施形態に係るプラズマディスプレイ装置に含まれることができるプラズマディスプレイパネルの第１電極と第２電極の第４実施形態に対して説明するための図である。ここ、図３３乃至図３４では前で詳しく説明した内容に対してはその説明を略する。
【０１３３】
先ず、図３３を注意深く見れば第１方向、例えば放電セル中心方向に突き出される第１突出部（１６２０ａ、１６２０ｂ、１６５０ａ、１６５０ｂ）の形状と第２方向、例えば放電セル中心方向と反対の方向に突き出される第２突出部（１６２０ｄ、１６５０ｄ）の形状は異なることができる。
【０１３４】
例えば、第１突出部（１６２０ａ、１６２０ｂ、１６５０ａ、１６５０ｂ）の幅は第１０幅（Ｗ１０）に設定されて、第２突出部（１６２０ｄ、１６５０ｄ）の幅は第１０幅（Ｗ１０）よりさらに小さな第２０幅（Ｗ２０）であることがある。
【０１３５】
このように、第１突出部（１６２０ａ、１６２０ｂ、１６５０ａ、１６５０ｂ）の幅（Ｗ１０）を第２突出部（１６２０ｄ、１６５０ｄ）の幅（Ｗ２０）よりさらに広くすれば第１電極１６３０と第２電極１６６０の間に発生する放電の開始電圧、すなわち放電電圧をさらに低めることができる。
【０１３６】
次に、図３４を注意深く見れば図３３とは異なりに第１突出部（１６２０ａ、１６２０ｂ、１６５０ａ、１６５０ｂ）の幅は第２０幅（Ｗ２０）に設定されて、第２突出部（１６２０ｄ、１６５０ｄ）の幅は第２０幅（Ｗ２０）よりさらに大きい第１０幅（Ｗ１０）であることがある。
【０１３７】
このように、第２突出部（１６２０ｄ、１６５０ｄ）の幅（Ｗ１０）を第１突出部（１６２０ａ、１６２０ｂ、１６５０ａ、１６５０ｂ）の幅（Ｗ２０）よりさらに広くすれば放電セル内で発生した放電を放電セルの外郭部分により効果的に拡散させることができる。
【０１３８】
図３５乃至図３６は本発明の第１実施形態に係るプラズマディスプレイ装置に含まれることができるプラズマディスプレイパネルの第１電極と第２電極の第５実施形態に対して説明するための図である。ここ図３５乃至図３６では以上で詳しく説明した内容に対してはその説明を略する。
【０１３９】
先ず、図３５を注意深く見れば、第１方向、例えば放電セル中心方向に突き出される第１突出部（１７２０ａ、１７２０ｂ、１７５０ａ、１７５０ｂ）の長さと第２方向、例えば放電セル中心方向と反対の方向に突き出される第２突出部（１７２０ｄ、１７５０ｄ）の長さは異なることができる。
【０１４０】
例えば、第１突出部（１７２０ａ、１７２０ｂ、１７５０ａ、１７５０ｂ）の長さは第１長さ（Ｌ１）に設定されて、第２突出部（１７２０ｄ、１７５０ｄ）の長さは第１長さ（Ｌ１）よりさらに短い第２長さ（Ｌ２）であることがある。
【０１４１】
このように、第１突出部（１７２０ａ、１７２０ｂ、１７５０ａ、１７５０ｂ）の長さ（Ｌ１）を第２突出部（１７２０ｄ、１７５０ｄ）の長さ（Ｌ２）よりさらに長くすれば第１電極１７３０と第２電極１７６０の間に発生する放電の開始電圧、すなわち放電電圧をさらに低めることができる。
【０１４２】
次に、図３６を注意深く見れば図３５とは異なりに第１突出部（１７２０ａ、１７２０ｂ、１７５０ａ、１７５０ｂ）の長さは第２長さ（Ｌ２）に設定されて、第２突出部（１７２０ｄ、１７５０ｄ）の長さは第２長さ（Ｌ２）よりさらに長い第１長さ（Ｌ１）であることがある。
【０１４３】
このように、第２突出部（１７２０ｄ、１７５０ｄ）の長さ（Ｌ１）を第１突出部（１７２０ａ、１７２０ｂ、１７５０ａ、１７５０ｂ）の長さ（Ｌ２）よりさらに長くすれば放電セル内で発生した放電を放電セルの外郭部分でより効果的に拡散させることができる。
【０１４４】
次に、図３７は本発明の第１実施形態に係るプラズマディスプレイ装置に含まれることができるプラズマディスプレイパネルの第１電極と第２電極の第６実施形態に対して説明するための図である。ここに図３７では以上で詳しく説明した内容に対してはその説明を略する。
【０１４５】
図３７を注意深く見れば、突出部（１８２０ａ、１８２０ｂ、１８２０ｄ、１８５０ａ、１８５０ｂ、１８５０ｄ）は曲率を持つ部分を含むことができる。例えば、突出部（１８２０ａ、１８２０ｂ、１８２０ｄ、１８５０ａ、１８５０ｂ、１８５０ｄ）が複数個人場合複数の突出部（１８２０ａ、１８２０ｂ、１８２０ｄ、１８５０ａ、１８５０ｂ、１８５０ｄ）の内少なくとも一つは曲率を持つ部分を含むことができる。すなわち複数の突出部（１８２０ａ、１８２０ｂ、１８２０ｄ、１８５０ａ、１８５０ｂ、１８５０ｄ）の内少なくとも一つは一部分が曲率を持つことができる。例えば、複数の突出部（１８２０ａ、１８２０ｂ、１８２０ｄ、１８５０ａ、１８５０ｂ、１８５０ｄ）の内少なくとも一つの端部が曲率を持って、共に突出部（１８２０ａ、１８２０ｂ、１８２０ｄ、１８５０ａ、１８５０ｂ、１８５０ｄ）とライン部（１８１０ａ、１８１０ｂ、１８４０ａ、１８４０ｂ）の燐接する部分が曲率を持つことも可能である。
【０１４６】
共に、ライン部（１８１０ａ、１８１０ｂ、１８４０ａ、１８４０ｂ）と連結部（１８２０ｃ、１８５０ｃ）の燐接する部分が曲率を持つことも可能である。
【０１４７】
このように、形成するようになれば第１電極と第２電極の製造工程がより容易くなることができる。共に、駆動時壁電荷が特定位置に過度に集中されることを防止することができるし、これによって駆動を安定させることができる。
【０１４８】
次に、図３８は本発明の第１実施形態に係るプラズマディスプレイ装置で映像の階調を具現するための映像フレーム（Ｆｒａｍｅ）に対して説明するための図である。
【０１４９】
また、図３９は本発明の第１実施形態に係るプラズマディスプレイ装置の動作の一例を説明するための図である。
【０１５０】
先ず、図３８を注意深く見れば本発明の第１実施形態に係るプラズマディスプレイ装置で映像の階調（Ｇｒａｙ  Ｌｅｖｅｌ）を具現するための映像フレームは発光回数が異なる複数のサブフィールドで分けられることができる。
【０１５１】
共に、  示さなかったが複数のサブフィールド内の一つ以上のサブフィールドはまた放電セルを初期化させるためのリセット期間（Ｒｅｓｅｔ  Ｐｅｒｉｏｄ）、放電する放電セルを選択するためのアドレス期間（Ａｄｄｒｅｓｓ  Ｐｅｒｉｏｄ）及び放電回数によって階調を具現するサステイン期間（Ｓｕｓｔａｉｎ  Ｐｅｒｉｏｄ）に分けられることができる。
【０１５２】
例えば、２５６階調で映像を表示しようとする場合に例えば一つの映像フレームは、図３８のように８個のサブフィールド（ＳＦ１乃至ＳＦ８）に分けられて、８個のサブフィールド（ＳＦ１乃至ＳＦ８）それぞれはリセット期間、アドレス期間及びサステイン期間にまた分けられることができる。
【０１５３】
一方、サステイン期間に供給されるサステイン信号の個数を調節して該当のサブフィールドの階調加重値を設定することができる。すなわち、サステイン期間を利用してそれぞれのサブフィールドに所定の階調加重値を付与することができる。例えば、第１サブフィールドの階調加重値を２０で設定して、第２サブフィールドの階調加重値を２１に設定する方法で各サブフィールドの階調加重値が２ｎ（ただ、ｎ＝０、１、２、３、４、５、６、７）の割合で増加されるように各サブフィールドの階調加重値を決めることができる。このように各サブフィールドで階調加重値によって各サブフィールドのサステイン期間で供給されるサステイン信号の個数を調節することで、多様な映像の階調を具現するようになる。
【０１５４】
本発明の第１実施形態に係るプラズマディスプレイ装置は映像を具現するため、例えば１秒の映像を表示するために複数の映像フレームを使う。例えば、１秒の映像を表示するために６０個の映像フレームを使うのである。このような場合に一つの映像フレームの長さ（Ｔ）は１／６０秒、すなわち１６．６７ｍｓであることがある。
【０１５５】
ここで、図３８では一つの映像フレームが８個のサブフィールドからなる場合だけで示して説明したが、これとは異なりに一つの映像フレームを成すサブフィールドの個数は多様に変更されることができる。例えば、第１サブフィールドから第１２サブフィールドまでの１２個のサブフィールドで一つの映像フレームを構成することもできて、１０個のサブフィールドで一つの映像フレームを構成することもできるのである。
【０１５６】
また、ここに図３８では一つの映像フレームで階調加重値の大きさが増加する手順によってサブフィールドが配列されたが、これとは異なりに一つの映像フレームでサブフィールドで階調加重値が減少する手順によって配列されることもできて、または階調加重値にかかわらずサブフィールドが配列されることもできる。
【０１５７】
次に、図３９を注意深く見れば前の図３８のような映像フレームに含まれた複数のサブフィールド何れか一つのサブフィールド（Ｓｕｂｆｉｅｌｄ）での本発明の第１実施形態に係るプラズマディスプレイ装置の動作の一例が示されている。
【０１５８】
先ず、リセット期間以前のフリー（Ｐｒｅ）リセット期間で第１電極（Ｙ）に時間によって電圧が漸進的に立ち下がる第１信号（Ｆｉｒｓｔ  Ｓｉｇｎａｌ）が供給されることができる。
【０１５９】
共に、第１電極（Ｙ）に供給される第１信号に対応して、第１信号と反対極性の第２信号が第２電極（Ｚ）に供給されることができる。第２信号はＶｐｚ電圧を実質的に一定に維持する信号として、リセット期間以後のサステイン期間で第１電極または第２電極の内で少なくとも一つに供給されるサステイン信号（Ｓｕｓ）の電圧、すなわちサステイン電圧（Ｖｓ）とおおよそ同一の電圧でもよい。
【０１６０】
このように、フリーリセット期間で第１電極（Ｙ）に第１信号が供給されて、これに対応して第２電極（Ｚ）に第２信号が供給されれば第１電極（Ｙ）上に所定極性の壁電荷（Ｗａｌｌ  Ｃｈａｒｇｅ）が蓄積されて、第２電極（Ｚ）上には第１電極（Ｙ）と反対極性の壁電荷が蓄積される。例えば、第１電極（Ｙ）上には陽（＋）の壁電荷（Ｗａｌｌ  Ｃｈａｒｇｅ）が蓄積されて、第２電極（Ｚ）上には陰（−）の壁電荷が均一に蓄積されることができる。
【０１６１】
フリーリセット期間以後、初期化のためのリセット期間では第１電極で第３信号が供給されることができる。
【０１６２】
第３信号は第１傾きに第２電圧（Ｖ２）から第３電圧（Ｖ３）まで漸進的に上昇する第１上昇ランプ信号と第２傾きに第３電圧（Ｖ３）から第４電圧（Ｖ４）まで漸進的に上昇する第２上昇ランプ信号を含むことができる。
【０１６３】
このようなセットアップ期間では第３信号によって放電セル内には弱い暗放電（Ｄａｒｋ  Ｄｉｓｃｈａｒｇｅ）、すなわちセットアップ放電が起きる。このセットアップ放電によって放電セル内にはある程度の壁電荷（Ｗａｌｌ  Ｃｈａｒｇｅ）が蓄積されることができる。
【０１６４】
前記の第３電圧（Ｖ３）以下ではセットアップ放電が発生しないで、第３電圧（Ｖ３）以上でセットアップ放電が発生することができる。したがって、第３電圧（Ｖ３）までは第１電極の電圧を速かに上昇させて、第３電圧（Ｖ３）からは第１電極の電圧を相対的にゆっくり上昇させれば、セットアップ期間の長さが過度に増加することを防止するのが可能であり、共にセットアップ放電をさらに安定させるのが可能である。これを考慮する時、第２傾きは第１傾きよりさらに緩いことが望ましいことがある。
【０１６５】
セットアップ期間とフリーリセット期間を比べると、フリーリセット期間で放電セル内に積もった壁電荷がセットアップ期間で発生するセットアップ放電を手伝ってくれることができる。したがって、セットアップ期間で第１電極に供給される第３信号の電圧を低めても安定的なセットアップ放電が可能になることができる。また、第３信号の電圧が低くなるようになればセットアップ放電の強さが減少することができるし、これによりコントラスト特性が向上されることができる。
【０１６６】
したがって、リセット期間以前にフリーリセットを置くと、前記の図２０及び図２２のように上部誘電体層と前面基板の間でブラック層が省略される場合に、ブラック層省略によるコントラスト悪化を防止するのが可能である。
【０１６７】
駆動時間を確保する観点で映像フレームのサブフィールドの内で時間上一番先に配列されるサブフィールドでのリセット期間以前にフリーリセット期間が含まれるとか映像フレームのサブフィールドの内で２個または３個のサブフィールドでリセット期間以前にフリーリセット期間が含まれることも可能である。
【０１６８】
セットアップ期間以後のセットダウン（Ｓｅｔ−Ｄｏｗｎ）期間では第３信号以後に第３信号と反対極性方向の第４信号が第１電極に供給されることができる。
【０１６９】
ここで、下降ランプ信号は上昇ランプ信号のピーク（Ｐｅａｋ）電圧、即第４電圧（Ｖ４）より低い第５電圧（Ｖ５）から第６電圧（Ｖ６）まで漸進的に立ち下がることができる。
【０１７０】
このような第４信号が供給されるによって、放電セル内で微弱な消去放電（Ｅｒａｓｅ  Ｄｉｓｃｈａｒｇｅ）、すなわちセットダウン放電が発生する。このセットダウン放電によって放電セル内にはアドレス放電が安定に起きることができるほどの壁電荷が均一に残留される。
【０１７１】
リセット期間以後のアドレス期間では第４信号の最低電圧、即第６電圧（Ｖ６）よりは高い電圧、例えば第７電圧（Ｖ７）を実質的に維持するスキャンバイアス信号が第１電極に供給される。
【０１７２】
共に、スキャンバイアス信号から立ち下がるスキャン信号が第１電極に供給されることができる。
【０１７３】
一方、少なくとも一つのサブフィールドのアドレス期間で第１電極に供給されるスキャン信号（Ｓｃａｎ）のパルス幅は他のサブフィールドのスキャン信号のパルス幅と異なることができる。例えば、時間上後に位置するサブフィールドでのスキャン信号の幅が前に位置するサブフィールドでのスキャン信号の幅より小さいことがある。また、サブフィールドの配列手順によるスキャン信号幅の減少は２．６μｓ（マイクロ秒）、２．３μｓ、２．１μｓ、１．９μｓなどのように漸進的に成すことができるとか２．６μｓ、２．３μｓ、２．３μｓ、２．１μｓ・・・１．９μｓ、１．９μｓなどのように成すこともできる。
【０１７４】
このように、スキャン信号が第１電極に供給される時、スキャン信号に対応されるように第３電極にデータ信号が供給されることができる。
【０１７５】
このようなスキャン信号とデータ信号が供給されれば、スキャン信号とデータ信号の間の電圧差とリセット期間に生成された壁電荷による壁電圧が加わりながらデータ信号が供給される放電セル内にはアドレス放電が発生されることができる。
【０１７６】
ここで、アドレス期間で第２電極の干渉によってアドレス放電が不安定になることを防止するために第２電極にサステインバイアス信号が供給されることができる。
【０１７７】
サステインバイアス信号はサステイン期間で供給されるサステイン信号の電圧よりは小さくグラウンドレベル（ＧＮＤ）の電圧よりは大きいサステインバイアス電圧（Ｖｚ）を実質的に一定に維持することができる。
【０１７８】
以後、映像表示のためのサステイン期間では第１電極または第２電極の内で少なくとも一つにサステイン信号が供給されることができる。例えば、第１電極と第２電極に交番的にサステイン信号が供給されることができる。
【０１７９】
このようなサステイン信号が供給されれば、アドレス放電によって選択された放電セルは放電セル内の壁電圧とサステイン信号のサステイン電圧（Ｖｓ）が加わりながらサステイン信号が供給される時第１電極と第２電極の間にサステイン放電すなわち、表示放電が発生されることができる。
【０１８０】
一方、少なくとも一つのサブフィールドではサステイン期間で複数のサステイン信号が供給されて、複数のサステイン信号の内で少なくとも一つのサステイン信号のパルス幅は他のサステイン信号のパルス幅と異なることができる。例えば、複数のサステイン信号の内で一番先に供給されるサステイン信号のパルス幅が他のサステイン信号のパルス幅より大きくなることができる。それでは、サステイン放電がさらに安定する。
【図面の簡単な説明】
【０１８１】
【図１】本発明の一つの実施形態に係るプラズマディスプレイ装置の構成を説明するための図。
【図２】フィルタの遮光層に対してさらに詳しく説明するための図。
【図３】遮光層の機能に対して説明するための図。
【図４】遮光層のまた他の形態に対して説明するための図。
【図５】遮光層のまた他の形態に対して説明するための図。
【図６】遮光層のまた他の形態に対して説明するための図。
【図７】遮光層のまた他の形態に対して説明するための図。
【図８】遮光層のまた他の形態に対して説明するための図。
【図９】第２部分の進行方向に対して説明するための図。
【図１０】第２部分の進行方向に対して説明するための図。
【図１１】遮光層のまた他のタイプ（Ｔｙｐｅ）に対して説明するための図。
【図１２】遮光層のまた他のタイプに対して説明するための図。
【図１３】遮光層のまた他のタイプに対して説明するための図。
【図１４】互いに異なるパターンを持つ二つ以上の遮光層を共に使う場合の一例を説明するための図。
【図１５】遮光層のまた他の構造に対して説明するための図。
【図１６】フィルムタイプフィルタとガラスタイプフィルタに対して説明するための図。
【図１７】フィルムタイプフィルタとガラスタイプフィルタに対して説明するための図。
【図１８】隔壁と対応される領域でのブラック層省略に対して説明するための図。
【図１９】隔壁と対応される領域でのブラック層省略に対して説明するための図。
【図２０】隔壁と対応される領域でのブラック層省略に対して説明するための図。
【図２１】第１電極及び第２電極と対応される領域でのブラック層の省略に対して説明するための図。
【図２２】第１電極及び第２電極と対応される領域でのブラック層の省略に対して説明するための図。
【図２３】第１電極及び第２電極の構造に対して説明するための図。
【図２４】第１電極及び第２電極の構造に対して説明するための図。
【図２５】本発明の一つの実施形態に係るプラズマディスプレイ装置に含まれることができるプラズマディスプレイパネルの第１電極と第２電極の第１実施形態に対して説明するための図。
【図２６】本発明の一つの実施形態に係るプラズマディスプレイ装置に含まれることができるプラズマディスプレイパネルの第１電極と第２電極の第１実施形態に対して説明するための図。
【図２７】本発明の一つの実施形態に係るプラズマディスプレイ装置に含まれることができるプラズマディスプレイパネルの第１電極と第２電極の第１実施形態に対して説明するための図。
【図２８】本発明の一つの実施形態に係るプラズマディスプレイ装置に含まれることができるプラズマディスプレイパネルの第１電極と第２電極の第１実施形態に対して説明するための図。
【図２９】本発明の一つの実施形態に係るプラズマディスプレイ装置に含まれることができるプラズマディスプレイパネルの第１電極と第２電極の第２実施形態に対して説明するための図。
【図３０】本発明の一つの実施形態に係るプラズマディスプレイ装置に含まれることができるプラズマディスプレイパネルの第１電極と第２電極の第２実施形態に対して説明するための図。
【図３１】本発明の一つの実施形態に係るプラズマディスプレイ装置に含まれることができるプラズマディスプレイパネルの第１電極と第２電極の第３実施形態に対して説明するための図。
【図３２】本発明の一つの実施形態に係るプラズマディスプレイ装置に含まれることができるプラズマディスプレイパネルの第１電極と第２電極の第３実施形態に対して説明するための図。
【図３３】本発明の一つの実施形態に係るプラズマディスプレイ装置に含まれることができるプラズマディスプレイパネルの第１電極と第２電極の第４実施形態に対して説明するための図。
【図３４】本発明の一つの実施形態に係るプラズマディスプレイ装置に含まれることができるプラズマディスプレイパネルの第１電極と第２電極の第４実施形態に対して説明するための図。
【図３５】本発明の一つの実施形態に係るプラズマディスプレイ装置に含まれることができるプラズマディスプレイパネルの第１電極と第２電極の第５実施形態に対して説明するための図。
【図３６】本発明の一つの実施形態に係るプラズマディスプレイ装置に含まれることができるプラズマディスプレイパネルの第１電極と第２電極の第５実施形態に対して説明するための図。
【図３７】本発明の一つの実施形態に係るプラズマディスプレイ装置に含まれることができるプラズマディスプレイパネルの第１電極と第２電極の第６実施形態に対して説明するための図。
【図３８】本発明の一つの実施形態に係るプラズマディスプレイ装置で映像の階調を具現するための映像フレーム（Ｆｒａｍｅ）に対して説明するための図。
【図３９】本発明の一つの実施形態に係るプラズマディスプレイ装置の動作の一例を説明するための図。
【図１】
2009533718.tif 000003
【図２】
2009533718.tif 000004
【図３】
2009533718.tif 000005
【図４】
2009533718.tif 000006
【図５】
2009533718.tif 000007
【図６】
2009533718.tif 000008
【図７】
2009533718.tif 000009
【図８】
2009533718.tif 000010
【図９】
2009533718.tif 000011
【図１０】
2009533718.tif 000012
【図１１】
2009533718.tif 000013
【図１２】
2009533718.tif 000014
【図１３】
2009533718.tif 000015
【図１４】
2009533718.tif 000016
【図１５】
2009533718.tif 000017
【図１６】
2009533718.tif 000018
【図１７】
2009533718.tif 000019
【図１８】
2009533718.tif 000020
【図１９】
2009533718.tif 000021
【図２０】
2009533718.tif 000022
【図２１】
2009533718.tif 000023
【図２２】
2009533718.tif 000024
【図２３】
2009533718.tif 000025
【図２４】
2009533718.tif 000026
【図２５】
2009533718.tif 000027
【図２６】
2009533718.tif 000028
【図２７】
2009533718.tif 000029
【図２８】
2009533718.tif 000030
【図２９】
2009533718.tif 000031
【図３０】
2009533718.tif 000032
【図３１】
2009533718.tif 000033
【図３２】
2009533718.tif 000034
【図３３】
2009533718.tif 000035
【図３４】
2009533718.tif 000036
【図３５】
2009533718.tif 000037
【図３６】
2009533718.tif 000038
【図３７】
2009533718.tif 000039
【図３８】
2009533718.tif 000040
【図３９】
2009533718.tif 000041
【国際調査報告】
2009533718.tif 000042
2009533718.tif 000043